(57)【特許請求の範囲】
【請求項１】
発光素子と受光素子と送受信回路を実装した基板とを収容するパッケージの端部に、前記発光素子と前記受光素子とを収容するための仕切りによって区画された２つの開口部を有する所定形状のアダプタを形成し、このパッケージの外側に前記各素子及び回路とは絶縁されたシャーシグランド板を取り付けた光トランシーバにおいて、前記シャーシグランド板の一部を前記アダプタの仕切りに沿わせて延出し、その延出部の先端を折り曲げて爪を形成すると共に、前記アダプタの仕切りには前記爪を挿入するための溝を設けたことを特徴とする光トランシーバ。
【請求項２】
前記シャーシグランド板の一部を前記パッケージの側面に沿うよう折り曲げ形成し、その折曲部に穴を開けると共に、前記パッケージの側面には前記穴に嵌め込むための突起を設けたことを特徴とする請求項１記載の光トランシーバ。
【請求項３】
前記シャーシグランド板に前記アダプタを覆うアダプタ覆い部を形成したことを特徴とする請求項１又は２記載の光トランシーバ。
【請求項４】
前記パッケージを上部が開放されたケース部とそのケース部上部を閉じるカバー部とに分割形成し、前記シャーシグランド板を前記ケース部底面と前記カバー部とにそれぞれ取り付けたことを特徴とする請求項１〜３いずれか記載の光トランシーバ。
【発明の詳細な説明】
【０００１】
【発明の属する技術分野】
本発明は、光学素子及び電気回路をパッケージに収容した光トランシーバに係り、特に、シャーシグランド用部材がどの方向の外力に対しても強固にパッケージに取り付けられる光トランシーバに関するものである。
【０００２】
【従来の技術】
図４に示す光トランシーバは、光信号を入出力するための光学素子と、光信号と電気信号とを相互に変換するための電気回路とを一体化したものである。光学素子は、発光素子と受光素子とからなる。電気回路は、光送信回路と光受信回路とからなり、電子部品や電子回路モジュールを組み合わせ、それぞれの電子部品及び電子回路モジュール同士を繋ぐ導体と一体になって回路基板上に設けられている。
【０００３】
光トランシーバは、レーザダイオード等の発光素子、ホトダイオード等の受光素子、送受信回路を実装した基板、電気入出力端子をパッケージ１０に収容して構成されている。このパッケージ１０の形状は、種々の規格によって定められている。主な規格として、ｌｂｙ９、ＧＬＭ、ＧＢＩＣなどが知られている。光トランシーバと外部電気回路とを電気的に接続するための導体アダプタは規格によって形状が異なる。光トランシーバと外部光要素とを光学的に接続するためのアダプタについては、前記した全ての規格において２連ＳＣアダプタと呼ばれるアダプタ１２を使用する。
【０００４】
２連ＳＣアダプタ１２は、発光素子と受光素子とを収容するための仕切り１１によって区画された２つの開口部を有する所定寸法の矩形の枠体である。
【０００５】
光トランシーバのパッケージ１０は、上部が開放されたケース部３０とそのケース部３０上部を閉じるカバー部３１とに分割形成され、ケース部３０に収容した各部品はケース部３０に取り付けて構造的に固定し、上部を保護するためにカバー部３１を取り付けてパッケージ１０が完成する。
【０００６】
パッケージには、各素子や回路のグランド（以下、回路グランドと呼ぶ）とは電気的に絶縁されたグランド（以下、シャーシグランドと呼ぶ）が要求されることがある。これは、収容した各部品に対して外部からの電気的な影響を遮断するためである。そのためには、シャーシグランドは、パッケージ１０内に収容した各部品から電気的に分離されている必要がある。特に、２連ＳＣアダプタ１２の先端から約８ｍｍまでのコネクタ部分には、シャーシグランドが要求される。即ち、発光素子や受光素子は外部からの電気的な影響を受けやすいからである。
【０００７】
パッケージ１０をプラスティック等の絶縁体で構成する場合、パッケージとは別にシャーシグランドとして機能する導体の部材をパッケージに取り付ける必要がある。
【０００８】
図４に示した従来のシャーシグランド付き光トランシーバは、パッケージ１０が概略箱型に形成され、そのパッケージ１０の端部に２連ＳＣアダプタ１２がパッケージ１０と一体に形成されている。シャーシグランドの機能を持たせる導体製のシャーシグランド板２０は、パッケージ１０の上面及び下面の２連ＳＣアダプタ１２近傍を覆うように設けられている。シャーシグランド板２０には、２連ＳＣアダプタ１２から遠い端に、パッケージ１０に向けて折り曲げた折曲部２１を形成し、一方、パッケージ１０には折曲部２１を挿入するための穴１３を形成してある。この穴１３に折曲部２１を挿入した後、パッケージ１０内側で折曲部２１を折り返すことにより、シャーシグランド板２０がパッケージ１０に固定される。
【０００９】
シャーシグランド板２０の取り付けは、ケース部３０及びカバー部３１をパッケージ１０に組み立てる前に行う。
【００１０】
【発明が解決しようとする課題】
従来の光トランシーバには、以下の問題点があった。
【００１１】
パッケージ１０内の各部品に対して外部からの電気的な影響を与えないために、シャーシグランドは回路グランドや各部品と電気的に分離する必要がある。そのため、シャーシグランド板２０を固定するための折曲部２１や穴１３は２連ＳＣアダプタ１２から離れた位置に設置される。２連ＳＣアダプタ１２及びその近傍内には発光素子や受光素子が収容されているので、２連ＳＣアダプタ１２に近い位置に折曲部２１や穴１３を設置すると、穴１３に挿入した折曲部２１が発光素子や受光素子に近接することになるからである。
【００１２】
シャーシグランド板２０の取り付け方法には、パッケージ１０を完成させてからそのパッケージ１０にシャーシグランド板２０を取り付ける方法と、パッケージ１０がケース部３０とカバー部３１とに分れているときに、このケース部３０及びカバー部３１にシャーシグランド板２０を取り付け、それからパッケージ１０を完成させる方法とがある。前者の方法では、シャーシグランド板２０をパッケージ１０に固定するための折曲部２１がパッケージ１０内側で十分に折り返せないため、保持力が弱くなると共に、折曲部２１がパッケージ１０内に突き出すようになり、パッケージ１０内の部品に接触する可能性がある。
【００１３】
ケース部３０及びカバー部３１にシャーシグランド板２０を取り付けてからパッケージ１０を完成させる後者の方法が優れているが、この方法でも、２連ＳＣアダプタ１２側での固定がなされていないので、問題がある。即ち、図４に示されるように、上下方向の力ａ，ｂが働くと、２連ＳＣアダプタ１２側からシャーシグランド板２０が外れていくことになる。
【００１４】
２連ＳＣアダプタ１２の周囲には、シャーシグランド板２０の折曲部２１を挿入する穴１３を設置すると、穴１３に挿入した折曲部２１が発光素子や受光素子に接触するおそれがあるので、穴１３を設置することができない。また、２連ＳＣアダプタ１２の周囲には、シャーシグランド板２０の固定に利用する目的で突起を設けることができない。２連ＳＣアダプタ１２の周囲に突起を設けると、前記の規格から外れてしまうからである。
【００１５】
このように、２連ＳＣアダプタ１２の周囲においてシャーシグランド板２０の固定を図ることは困難である。
【００１６】
そこで、本発明の目的は、上記課題を解決し、シャーシグランド用部材がどの方向の外力に対しても強固にパッケージに取り付けられる光トランシーバを提供することにある。
【００１７】
【課題を解決するための手段】
上記目的を達成するために本発明は、発光素子と受光素子と送受信回路を実装した基板とを収容するパッケージの端部に、前記発光素子と前記受光素子とを収容するための仕切りによって区画された２つの開口部を有する所定形状のアダプタを形成し、このパッケージの外側に前記各素子及び回路とは絶縁されたシャーシグランド板を取り付けた光トランシーバにおいて、前記シャーシグランド板の一部を前記アダプタの仕切りに沿わせて延出し、その延出部の先端を折り曲げて爪を形成すると共に、前記アダプタの仕切りには前記爪を挿入するための溝を設けたものである。
【００１８】
前記シャーシグランド板の一部を前記パッケージの側面に沿うよう折り曲げ形成し、その折曲部に穴を開けると共に、前記パッケージの側面には前記穴に嵌め込むための突起を設けてもよい。
【００１９】
前記シャーシグランド板に前記アダプタを覆うアダプタ覆い部を形成してもよい。
【００２０】
前記パッケージを上部が開放されたケース部とそのケース部上部を閉じるカバー部とに分割形成し、前記シャーシグランド板を前記ケース部底面と前記カバー部とにそれぞれ取り付けてもよい。
【００２１】
【発明の実施の形態】
以下、本発明の一実施形態を添付図面に基づいて詳述する。
【００２２】
図１に示されるように、本発明の光トランシーバは、レーザダイオード等の発光素子１、ホトダイオード等の受光素子２、光送信回路３と光受信回路４とを実装した基板５及び電気入出力端子６をパッケージ１０に収容して構成されている。発光素子１と受光素子２とは、リードにより電気的に基板５に接続されると共に、素子本体が基板外に配置され、光の方向が基板面（これを水平面とする）と平行になるよう横に寝かせて設けられている。
【００２３】
パッケージ１０の端部には、発光素子１と受光素子２とを収容するための仕切り１１によって区画された２つの開口部を有する２連ＳＣアダプタ１２が形成されている。各開口部内には、それぞれの素子本体の少なくとも一部が収容されることになる。
【００２４】
パッケージ１０の外側には、発光素子１、受光素子２、送受信回路３，４、基板５、電気入出力端子６及び回路グランドの全てから絶縁されたシャーシグランド板２０が取り付けられている。このシャーシグランド板２０は、パッケージの１０上面及び下面の２連ＳＣアダプタ１２近傍を覆うように設けられている。
【００２５】
シャーシグランド板２０には、２連ＳＣアダプタ１２から遠い端に、パッケージ１０に向けて折り曲げた折曲部２１が形成され、一方、パッケージ１０には折曲部２１を挿入するための穴１３が形成されている。この穴１３に折曲部２１を挿入した後、パッケージ１０内側で折曲部２１を折り返すことにより、シャーシグランド板２０がパッケージ１０に固定される。
【００２６】
また、シャーシグランド板２０の一部は、２連ＳＣアダプタ１２の上面及び下面に沿わせて延出され、その延出部２２が２連ＳＣアダプタ１２の端部で折り曲げられ、さらに仕切り１１に沿わせて延出され、その延出部２２の先端が折り曲げられて爪２３が形成されている。一方、仕切り１１には爪２３を挿入するための溝１４が設けられている。この仕切り１１の溝１４に爪２３を挿入することにより、爪２３が溝１４に掛合するので、シャーシグランド板２０がパッケージ１０に固定される。
【００２７】
また、シャーシグランド板２０の別の一部は、パッケージ１０の側面に沿うよう折り曲げ形成されており、その折曲部２４には穴２５が開けられている。一方、パッケージ１０の側面には穴２５に嵌め込むための突起１５が設けられている。この突起１５は、２連ＳＣアダプタ１２の先端から規格が規定する距離以上離れた位置に設けられている。この突起１５を穴２５に嵌め込むことにより、突起１５が穴２５に掛合するので、シャーシグランド板２０がパッケージ１０に固定される。
【００２８】
パッケージ１０は、上部が開放されたケース部３０とそのケース部３０上部を閉じるカバー部３１とに分割形成されている。２連ＳＣアダプタ１２は、ケース部３０と一体的に構成されている。カバー部３１には、その側縁より垂下された垂下部３２が形成され、その垂下部３２の下端にはパッケージ１０内側に向けて折り曲げられた爪３３が形成されている。一方、ケース部３０の側面には、２連ＳＣアダプタ１２を設けた端部とは反対の端部から爪３３を案内する案内溝３４が形成されていると共に、垂下部３２を嵌め込むための凹部３５が形成されている。ケース部３０の端部から爪３３を案内溝３４に案内させ、カバー部３１がケース部３０上部を閉じるまでカバー部３１を横移動させ、垂下部３２を凹部３５に嵌め込むことにより、カバー部３１とケース部３０とが結合し、パッケージ１０が完成する。
【００２９】
この光トランシーバの組み立て手順を説明する。
【００３０】
まず、ケース部３０及びカバー部３１のそれぞれにシャーシグランド板２０を取り付ける。即ち、カバー部３１上にシャーシグランド板２０を乗せ、カバー部３１の２連ＳＣアダプタ１２から遠いところに設けた穴１３に折曲部２１を挿入した後、カバー部３１下側で折曲部２１を折り返す。このとき、シャーシグランド板２０の２連ＳＣアダプタ１２側は、固定がなされておらず、自由である。
【００３１】
また、ケース部３０の底面をシャーシグランド板２０に乗せ、ケース部３０の２連ＳＣアダプタ１２から遠いところに設けた穴１３に折曲部２１を挿入した後、ケース部３０内で折曲部２１を折り返す。この後、ケース部３０に各部品１〜６を収容し固定する。
【００３２】
このようにしてシャーシグランド板２０を取り付けたカバー部３１と、同様にシャーシグランド板２０を取り付けたケース部３０とを用い、爪３３を案内溝３４に案内させてカバー部３１がケース部３０上部を閉じるまでカバー部３１を横移動させる。
【００３３】
シャーシグランド板２０の延出部２２を２連ＳＣアダプタ１２の仕切り１１に沿わせ、仕切り１１の溝１４に爪２３を挿入する。爪２３が溝１４に掛合してから、垂下部３２を凹部３５に嵌め込むことにより、カバー部３１とケース部３０とを結合させる。また、このときに、パッケージ１０の側面に設けた突起１５がシャーシグランド板２０の折曲部２４に設けた穴２５に嵌め込まれる。
【００３４】
以上のようにして組み立てられた光トランシーバは、従来技術では保持力が弱かった上下方向の外力に対して、爪２３と溝１４との掛合及び突起１５と穴２５との掛合が作用するため、高い保持力を持つ。従って、シャーシグランド板２０がどの方向の外力に対しても強固にパッケージに取り付けられる光トランシーバが実現される。
【００３５】
次に、本発明の他の実施形態を説明する。
【００３６】
図２において図１と同一符号の部材は既に説明したものである。図１の構成と異なる構成は、シャーシグランド板２０に２連ＳＣアダプタ１２を覆うアダプタ覆い部２６が形成されていることである。アダプタ覆い部２６は、２連ＳＣアダプタ１２の上面全体又は下面全体を覆うように形成されている。また、アダプタ覆い部２６には、２連ＳＣアダプタ１２近傍を覆う部分と同様に、パッケージ１０の側面に沿うよう折り曲げ形成した折曲部２７が設けられ、その折曲部２７には穴が開けられている。
【００３７】
この光トランシーバの組み立て手順は、まず、図１の場合と同様にケース部３０及びカバー部３１のそれぞれにシャーシグランド板２０を取り付ける。このとき、シャーシグランド板２０の２連ＳＣアダプタ１２側、アダプタ覆い部２６は固定がなされておらず、自由である。ケース部３０に各部品１〜６を収容し、各部品を固定する。
【００３８】
このようにしてシャーシグランド板２０を取り付けたカバー部３１と、同様にシャーシグランド板２０を取り付けたケース部３０とを用い、爪３３を案内溝３４に案内させてカバー部３１がケース部３０上部を閉じるまでカバー部３１を横移動させる。
【００３９】
シャーシグランド板２０の延出部２２を２連ＳＣアダプタ１２の仕切り１１に沿わせ、仕切り１１の溝１４に爪２３を挿入する。爪２３が溝１４に掛合してから、垂下部３２を凹部３５に嵌め込むことにより、カバー部３１とケース部３０とを結合させる。また、このときに、パッケージ１０の側面に設けた突起１５がシャーシグランド板２０の折曲部２４に設けた穴２５に嵌め込まれる。
【００４０】
以上のようにして組み立てられた光トランシーバは、アダプタ覆い部２６が設けられているため、２連ＳＣアダプタ１２がシャーシグランドで遮蔽される。従って、効果的に発光素子１や受光素子２を外部から電気的に分離することができ、２連ＳＣアダプタ１２から外部へ放射されるノイズも効果的に削減することができる。
【００４１】
次に、シャーシグランド板について説明する。
【００４２】
図３（ａ）に示されるように、シャーシグランド板２０は、２連ＳＣアダプタ近傍を覆うための矩形の平面部分２７と、その平面部分２７の一辺中央部より２連ＳＣアダプタの端部まで伸びた延出部２２とを有する。平面部分２７の反対の辺には２箇所に折曲部２１が設けられている。また、平面部分２７の両側には２連ＳＣアダプタに近い位置に折曲部２４が設けられている。図３（ｂ）に示されるように、延出部２２は２連ＳＣアダプタの端部で下向きに折り曲げられ、仕切りに沿うよう下方に延出され、その延出部２２の先端が折り曲げられて爪２３が形成されている。折曲部２４及び折曲部２１は、それぞれ下方に延出されている。穴２５は平面部分２７に平行な方向に細長く形成されている。
【００４３】
図３（ｃ）に示されるように、爪２３を仕切り１１に設けられた溝１４に挿入することにより、シャーシグランド板２０とパッケージ１０との掛合を図ることができる。このとき、２つのシャーシグランド板２０の爪２３は隙間なく溝１４に嵌め込まれる。また、図３（ｄ）に示されるように、折曲部２１を折り返すことにより、シャーシグランド板２０とパッケージ１０との掛合を図ることができる。
【００４４】
図３（ｅ）に示されるように、ケース部３０にシャーシグランド板２０を取り付けるときには、ケース部３０の下面側からシャーシグランド板２０を装着する。また、図３（ｆ）に示されるように、カバー部３１にシャーシグランド板２０を取り付けるときには、カバー部３１の上面側からシャーシグランド板２０を装着する。
【００４５】
【発明の効果】
本発明は次の如き優れた効果を発揮する。
【００４６】
（１）従来技術で問題になっていた上下方向の外力に対して爪２３と溝１４との掛合及び突起１５と穴２５との掛合が作用するため、高い保持力を持つ。従って、シャーシグランド板２０がどの方向の外力に対しても強固にパッケージ１０に取り付けられる光トランシーバが実現される。
【００４７】
（２）アダプタ覆い部２６を設ることにより発光素子１や受光素子２を外部から電気的に分離することができ、２連ＳＣアダプタ１２から外部へ放射されるノイズも効果的に削減することができる。
【図面の簡単な説明】
【図１】本発明の一実施形態を示すパッケージの組み立て図である。
【図２】本発明の他の実施形態を示すパッケージの組み立て図である。
【図３】本発明のシャーシグランド板の図であり、（ａ）は平面図、（ｂ）は側面図、（ｃ）は爪を溝に挿入したときの断面図、（ｄ）はパッケージに取り付け後のシャーシグランド板のみの側面図、（ｅ）はケース部への取り付けを示す下面斜視図、（ｆ）はカバー部への取り付けを示す上面斜視図である。
【図４】従来のパッケージの組み立て図である。
【符号の説明】
１  発光素子
２  受光素子
３  光送信回路
４  光受信回路
５  基板
１０  パッケージ
１１  仕切り
１２  アダプタ（２連ＳＣアダプタ）
１４  溝
１５  突起
２０  シャーシグランド板
２２  延出部
２３  爪
２４  折曲部
２５  穴
３０  ケース部
３１  カバー部
【図１】
0003692788.tif 000002
【図２】
0003692788.tif 000003
【図３】
0003692788.tif 000004
【図４】
0003692788.tif 000005